(57)【特許請求の範囲】
【請求項１】
電源電池の消耗を防ぐ為に所定時間にわたって未使用状態が継続した場合に自動的に電源をオフするオートパワーオフ機能を備えた携帯端末に対する電源管理装置であって、
携帯端末への充電を行ったり、携帯端末内のデータを外部機器へ通信する充電機能付き通信装置に携帯端末を装着することによって携帯端末の電源がオンされたのかを判別する判別手段と、
この判別手段によって充電機能付き通信装置への装着によって電源が自動的にオンされたことが判別された場合には、前記オートパワーオフ機能が作動不可能状態に設定されていても、それを一時的に作動可能状態に変更する変更手段と、
を具備し、前記オートパワーオフ機能の作動によって未使用状態の継続が検出された場合は、携帯端末の電源を前記オートパワーオフ機能の作動によって自動的にオフするようにしたことを特徴とする携帯端末の電源管理装置。
【請求項２】
前記判別手段によって充電機能付き通信装置への装着によって電源が自動的にオンされたことが判別された場合には、前記オートパワーオフ機能の設定内容を保存退避する保存手段と、
前記オートパワーオフ機能の作動中において前記所定時間が経過する前に通信動作あるいは指示操作が行われた場合には、前記保存退避されいるオートパワーオフ機能の設定内容を元の状態に復帰させ、また、前記オートパワーオフ機能の作動中において前記所定時間にわたって通信動作あるいは指示操作が行われなかった場合にも、前記保存退避されいるオートパワーオフ機能の設定内容を元の状態に復帰させる復帰手段と、
を設けたことを特徴とする請求項1記載の携帯端末の電源管理装置。
【請求項３】
前記判別手段によって充電機能付き通信装置への装着によって電源が自動的にオンされたことが判別された場合には、前記オートパワーオフ機能に設定されている設定時間に拘らず、その時間を一時的に最短時間に変更する設定時間変更手段を設けたことを特徴とする請求項1記載の携帯端末の電源管理装置。
【請求項４】
コンピュータを、
携帯端末への充電を行ったり、携帯端末内のデータを外部機器へ通信する充電機能付き通信装置に携帯端末を装着することによって携帯端末の電源がオンされたのかを判別する手段、
充電機能付き通信装置への装着によって電源が自動的にオンされたことが判別された場合には、前記オートパワーオフ機能が作動不可能状態に設定されていても、それを一時的に作動可能状態に変更する手段、
として機能させるためのプログラム。
【発明の詳細な説明】
【０００１】
【発明の属する技術分野】
この発明は、携帯端末への充電を行ったり、携帯端末内のデータを外部機器に通信するようにした充電機能付き通信装置に携帯端末が装着した場合に、携帯端末の電源を制御するようにした携帯端末の電源管理装置、そのプログラムに関する。
【０００２】
【従来の技術】
従来、ハンディターミナルと呼ばれる携帯端末をＩ／Ｏボックスと呼ばれる充電機能付き通信装置に装着すると、Ｉ／Ｏボックスは、ハンディターミナルへの充電を行ったり、ハンディターミナル内のデータを外部機器に光通信するようにしている。
この場合、ハンディターミナルには、それをＩ／Ｏボックスに装着すると、ハンディターミナルの電源を自動的にオンする機能や電源電池の消耗を防ぐ為に所定時間にわたって未使用の場合に電源を自動的にオフするオートパワーオフ機能（ＡＰＯ機能）が備えられている。
【０００３】
【発明が解決しようとする課題】
このようにハンディターミナルをＩ／Ｏボックスに装着すると、その電源が自動的にオンされる為、ハンディターミナルを充電の目的でＩ／Ｏボックスに装着した場合においても、ハンディターミナルの電源がオンされる結果となり、良好な充電の妨げとなっていた。
【０００４】
本発明の課題は、携帯端末を充電する目的で充電機能付き通信装置に装着した場合には、携帯端末の電源を自動的にオフする仕組みを提供できるようにすることであり、特に、携帯端末を充電する目的で充電機能付き通信装置に装着した場合に、携帯端末の電源が自動的にオンされたとしても、所定時間にわたって未使用状態の継続を検出した時に自動的に電源をオフするオートパワーオフ機能を活用することで、携帯端末の電源を自動的にオフできるようにすることである。
【０００５】
本発明の電源管理装置は、電源電池の消耗を防ぐ為に所定時間にわたって未使用状態が継続した場合に自動的に電源をオフするオートパワーオフ機能を備えた携帯端末に対する電源管理装置であって、携帯端末への充電を行ったり、携帯端末内のデータを外部機器へ通信する充電機能付き通信装置に携帯端末を装着することによって携帯端末の電源がオンされたのかを判別する判別手段と、この判別手段によって充電機能付き通信装置への装着によって電源が自動的にオンされたことが判別された場合には、前記オートパワーオフ機能が作動不可能状態に設定されていても、それを一時的に作動可能状態に変更する変更手段とを具備し、前記オートパワーオフ機能の作動によって未使用状態の継続が検出された場合は、携帯端末の電源を前記オートパワーオフ機能の作動によって自動的にオフするようにしたものである。
したがって、本発明においては、携帯端末を充電する目的で充電機能付き通信装置に装着した場合に、携帯端末の電源が自動的にオンされたとしても、所定時間にわたって未使用状態の継続を検出した時に自動的に電源をオフするオートパワーオフ機能を活用することで、携帯端末の電源を自動的にオフすることができる。
【０００６】
なお、この発明は次のようなものであってもよい。
前記判別手段によって充電機能付き通信装置への装着によって電源が自動的にオンされたことが判別された場合には、前記オートパワーオフ機能の設定内容を保存退避する保存手段と、前記オートパワーオフ機能の作動中において前記所定時間が経過する前に通信動作あるいは指示操作が行われた場合には、前記保存退避されいるオートパワーオフ機能の設定内容を元の状態に復帰させ、また、前記オートパワーオフ機能の作動中において前記所定時間にわたって通信動作あるいは指示操作が行われなかった場合にも、前記保存退避されいるオートパワーオフ機能の設定内容を元の状態に復帰させる復帰手段とを設ける（請求項２記載の発明）。
【０００７】
前記判別手段によって充電機能付き通信装置への装着によって電源が自動的にオンされたことが判別された場合には、前記オートパワーオフ機能に設定されている設定時間に拘らず、その時間を一時的に最短時間に変更する設定時間変更手段を設ける（請求項３記載の発明）。
【０００８】
また、コンピュータに対して、上述した請求項１記載の発明に示した主要機能を実現させるためのプログラムを提供する（請求項４記載の発明）。
【００１２】
【発明の実施の形態】
（第１実施形態）
以下、図１〜図３参照してこの発明の第１実施形態を説明する。
図１は、この実施形態における携帯端末（ハンディターミナル）を充電機能付き通信装置（Ｉ／Ｏボックス）に装着した状態を示した図である。
このハンディターミナル１は、二次電池を電源とする情報処理装置であり、このハンディターミナル１には、それをＩ／Ｏボックス２上に載置して装着すると、ハンディターミナル１の電源を自動的にオンする機能や電源電池の消耗を防ぐ為に、予め設定されている所定時間にわたって未使用の場合には、電源を自動的にオフするオートパワーオフ機能（ＡＰＯ機能）が備えられている。
【００１３】
このＡＰＯ機能は、そのオン（作動可能状態）／オフ（作動不可能状態）を任意に設定可能であると共に、電源オフするまでの所定時間を任意に設定可能となっている。
Ｉ／Ｏボックス２は、ＡＣ電源にケーブル接続されており、その上にハンディターミナル１が載置されて装着されると、ハンディターミナル１への充電を行う充電機能が備えられていると共に、ハンディターミナル１内に蓄えられているデータを赤外線によって外部機器（図示せず）へ光通信する赤外線通信機能が備えられた通常の構成となっている。
【００１４】
図２は、ハンディターミナル１の全体構成を示したブロック図である。
この実施形態におけるハンディターミナル１は、それを充電する目的でＩ／Ｏボックス２に装着した際には、そのＡＰＯ機能を活用することで、ハンディターミナル１の電源を自動的にオフするようにしている。すなわち、Ｉ／Ｏボックス２への装着によって電源がオンされた場合には、ＡＰＯ機能がオフ（作動不可能状態）に設定されていても、それを一時的に作動可能状態に変更するようにしており、ＡＰＯ機能の作動によって未使用状態の継続が検出された場合は、ハンディターミナル１を充電する目的でＩ／Ｏボックス２に装着したものとして、ハンディターミナル１の電源をＡＰＯ機能により自動的にオフするようにしている。
【００１５】
ＣＰＵ１０１は、記憶装置２内のオペレーティングシステムや各種アプリケーションソフトにしたがってこのハンディターミナル１の全体動作を制御する中央演算処理装置である。記憶装置１０２は、オペレーティングシステムや各種アプリケーションソフト、データベース、文字フォント等が格納され、磁気的、光学的、半導体メモリ等によって構成されている記録媒体１０３やその駆動系を有している。この記録媒体１０３はハードディスク等の固定的な媒体若しくは着脱自在に装着可能なＣＤ−ＲＯＭ、フロッピィデスク、ＲＡＭカード、磁気カード等の可搬型の媒体である。また、この記録媒体１０３内のプログラムやデータは、必要に応じてＣＰＵ１の制御によりＲＡＭ（例えば、スタティックＲＡＭ）１０４にロードされたり、ＲＡＭ１０４内のデータが記録媒体１０３にセーブされる。更に、記録媒体はサーバ等の外部機器側に設けられているものであってもよく、ＣＰＵ１０１は伝送制御部１０５を介してこの記録媒体内のプログラム／データを直接アクセスして使用することもできる。
また、ＣＰＵ１０１は記録媒体１０３内に格納されるその一部あるいは全部を他の機器側から伝送制御部１０５を介して取り込み、記録媒体１０３に新規登録あるいは追加登録することもできる。更に、プログラム／データはサーバ等の外部機器側で記憶管理されているものであってもよく、ＣＰＵ１０１は伝送制御部１０５を介して外部機器側のプログラム／データを直接アクセスして使用することもできる。
【００１６】
一方、ＣＰＵ１０１にはその入出力周辺デバイスである伝送制御部１０５、入力部１０６、表示部１０７がバスラインを介して接続されており、入出力プログラムにしたがってＣＰＵ１０１はそれらの動作を制御する。また、ＣＰＵ１０１には、二次電池１０８への充電を制御する充電制御部１０９と、充電端子１１０がＩ／Ｏボックス２に接続されたことを検出する端子接続検出部１１１とが接続されている。
なお、ＲＡＭ１０４内には、ＡＰＯ機能に関する設定内容として、ＡＰＯ機能のオン／オフ状態の他、ハンディターミナル１が継続的に未使用状態であることを検出する為に、ユーザによって予め任意に設定されたＡＰＯ時間が記憶されている。
【００１７】
次に、この第１実施形態におけるハンディターミナル１の動作アルゴリズムを図３に示すフローチャートを参照して説明する。ここで、このフローチャートに記述されている機能、つまり、図３に記述した電源管理処理は、読み取り可能なプログラムコードの形態で記録媒体１０３に格納されており、ＣＰＵ１０１はこのプログラムコードにしたがった動作を逐次実行する。また、ＣＰＵ１０１は伝送媒体を介して伝送されてきた上述のプログラムコードにしたがった動作を逐次実行することもできる。このことは後述する他の実施形態においても同様であり、記録媒体の他、伝送媒体を介して外部供給されたプログラム／データを利用してこの実施形態特有の動作を実行することもできる。
【００１８】
図３は、電源オン時に実行開始されるハンディターミナル１の電源管理処理を示したフローチャートである。
先ず、ハンディターミナル１が電源オンされた場合には、そのオン要因の判定が行われる（ステップＡ１）。すなわち、電源がオンされた要因として、ハンディターミナル１をＩ／Ｏボックス２に装着することによって自動的に電源がオンされたのか、電源オンキーの操作等によって電源がオンされたのかを判別する。ここで、Ｉ／Ｏボックス２への装着以外を要因として電源がオンされた場合には、通常の処理へ移行する（ステップＡ２）。この場合、例えば、ハンディターミナル１内に蓄えられているデータは、Ｉ／Ｏボックス２を介して赤外線によって外部機器に光通信される。
【００１９】
一方、Ｉ／Ｏボックス２への装着を要因として電源がオンされた場合には（ステップＡ１）、現在のＡＰＯ機能の設定内容をＲＡＭ４内に退避保存する処理を行うと共に（ステップＡ２）、ＡＰＯ機能を有効に設定する（ステップＡ４）。つまり、ＡＰＯ機能がオフ（作動不可能状態）に設定されていても、それを一時的にオンさせて、それを作動可能状態に変更しておく。このようにＡＰＯ機能の作動中において、アクティビティ有りを判別する（ステップＡ５）。すなわち、ＡＰＯ機能の作動中において、通信動作あるいは指示操作が行われたかを判別する。
ここで、通信動作あるいは指示操作が行われなかった場合には、予め設定されているＡＰＯ時間が経過したかを判別し（ステップＡ６）、ＡＰＯ時間が経過する前に、通信動作あるいは指示操作が行われた場合には（ステップＡ５）、上述のステップＡ３で退避保存しておいたＡＰＯ機能の設定内容を元の状態に復帰させた後（ステップＡ７）、通常の処理に移行する（ステップＡ２）。
【００２０】
また、ＡＰＯ時間にわたって通信動作あるいは指示操作が行われない場合には、つまり、ＡＰＯ時間にわたってハンディターミナル１の未使用状態が継続した場合には（ステップＡ５、Ａ６）、ハンディターミナル１を充電する目的でＩ／Ｏボックス２に装着したものと判断し、上述のステップＡ３で退避保存しておいたＡＰＯ機能の設定内容を元の状態に復帰させた後（ステップＡ８）、ハンディターミナル１の電源をＡＰＯ機能により自動的にオフする（ステップＡ９）。
【００２１】
以上のように、この第１実施形態においては、ハンディターミナル１の電源がＩ／Ｏボックス２への装着によって自動的にオンされた場合には、ＡＰＯ機能がオフに設定されていても、それを一時的にオンさせると共に、ＡＰＯ機能の作動によって未使用状態の継続が検出された場合は、ハンディターミナル１を充電する目的でＩ／Ｏボックス２に装着したものとして、ハンディターミナル１の電源をＡＰＯ機能の作動により自動的にオフするようにしたから、ＡＰＯ機能を活用することにより、ハンディターミナル１の電源をオフすることができ、電源オフの状態でハンディターミナル１を確実に充電することが可能となる。
また、Ｉ／Ｏボックス２への装着を要因として電源がオンされた場合には、現在のＡＰＯ機能の設定内容を退避保存しておき、ＡＰＯ機能がオフの時にそれを一時的にオンさせたとしても、その後は、退避保存しておいたＡＰＯ機能の設定内容を元の状態に戻すようにしたから、以降は、通常と変わりなく動作することが可能となる。
【００２２】
なお、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、携帯端末への充電を行ったり、携帯端末内のデータを外部機器へ通信する充電機能付き通信装置に携帯端末を装着することによって携帯端末の電源がオンされたのかを判別する機能と、充電機能付き通信装置への装着によって電源が自動的にオンされたことが判別された場合には、前記オートパワーオフ機能が作動不可能状態に設定されていても、それを一時的に作動可能状態に変更する機能と、機能とを実現させるためのプログラムを記録したコンピュータが読み取り可能な記録媒体を提供するようにしてもよい。
【００２３】
（第２実施形態）
以下、この発明の第２実施形態について図４を参照して説明する。
この第２実施形態は、ハンディターミナル１の電源がＩ／Ｏボックス２への装着によってオンされた場合、ハンディターミナル１の電源を自動的にオフするＡＰＯ機能の設定時間に拘らず、ＡＰＯ時間を一時的に最短時間に変更するようにしたものである。
ここで、第２実施形態において上述の第１実施形態と基本的に同一のものは、同一符号を付して示し、その説明を省略する他、以下、第2実施形態の特徴部分を中心に説明するものとする。
【００２４】
図４は、電源オン時に実行開始されるハンディターミナル１の電源管理処理を示したフローチャートである。
先ず、ハンディターミナル１が電源オンされた場合には、そのオン要因の判定が行われ（ステップＢ１）、Ｉ／Ｏボックス２への装着以外を要因として電源がオンされた場合には、通常の処理へ移行するが（ステップＢ２）、Ｉ／Ｏボックス２への装着を要因として電源がオンされた場合には、現在のＡＰＯ機能の設定内容を退避保存する処理を行う（ステップＢ３）。そして、ＡＰＯ機能が有効に設定されているかを判別し（ステップＢ４）、ＡＰＯ機能がオフに設定されている場合には、ＡＰＯ機能を一時的にオンさせて作動可能状態に変更する（ステップＢ５）。その後、ＡＰＯ時間が長く設定されていても、それを一時的に最短時間に変更する（ステップＢ６）。ここで、最短時間とは、ユーザが任意に選択可能な選択候補として予め決められている各種のＡＰＯ時間のうち、最も短いＡＰＯ時間である。
【００２５】
そして、ＡＰＯ機能の作動中において、アクティビティ有りを判別し（ステップＢ７）、通信動作あるいは指示操作が行われなかった場合には、ＡＰＯ時間（最短時間）が経過したかを判別し（ステップＢ８）、ＡＰＯ時間が経過する前に、通信動作あるいは指示操作が行われた場合には（ステップＢ７）、上述のステップＢ３で退避保存しておいたＡＰＯ機能の設定内容を元の状態に復帰させた後（ステップＢ９）、通常の処理に移行する（ステップＢ２）。
また、ＡＰＯ時間（最短時間）にわたって通信動作あるいは指示操作が行われない未使用状態が継続した場合には（ステップＢ７、Ｂ８）、ハンディターミナル１を充電する目的でＩ／Ｏボックス２に装着したものと判断し、上述のステップＢ３で退避保存しておいたＡＰＯ機能の設定内容を元の状態に復帰させた後（ステップＢ１０）、ハンディターミナル１の電源をＡＰＯ機能により自動的にオフする（ステップＢ１１）。
【００２６】
以上のように、この第２実施形態においては、ハンディターミナル１の電源がＩ／Ｏボックス２への装着によってオンされた場合、ハンディターミナル１の電源を自動的にオフするＡＰＯ機能の設定時間に拘らず、ＡＰＯ時間を一時的に最短時間に変更するようにしたから、上述の実施形態と同様、電源オフの状態でハンディターミナル１を確実に充電することができる他、特に、この第２実施形態においては、ＡＰＯ機能の設定時間に拘らず、電源を素早くオフすることができる。
【００２７】
（第３実施形態）
以下、この発明の第３実施形態について図５および図６を参照して説明する。この第３実施形態は、電源をオフする際に、特殊キーが合わせて操作された場合には、そのキー情報を記録保持しておき、ハンディターミナル１をＩ／Ｏボックス２に装着することによってハンディターミナル１の電源が自動的にオンされた場合に、特殊キー情報が記録されていれば、ハンディターミナル１の電源を自動的にオフするようにしたものである。
ここで、第３実施形態において上述の第１実施形態と名称的に同一のものは、同一符号を付して示し、その説明は省略するものとする。
【００２８】
図５は、電源ＯＦＦキーが押下された際に実行開始される電源ＯＦＦ処理を示したフローチャートである。
先ず、ＣＰＵ１は、電源ＯＦＦキーが押下されると、ＯＦＦ確定時間が経過したかを監視する（ステップＣ１）。なお、このＯＦＦ確定時間とは、電源ＯＦＦキーの誤操作で電源がオフしないように、電源ＯＦＦキーが一定時間操作されているかを繰り返し確認するための操作状態確認用の時間である。
ここで、ＯＦＦ確定時間が経過していなければ、前回の特殊キー情報の有無、つまり、前回の電源オフ時において、電源ＯＦＦキーと共に特殊キー（例えば、ファンクションキーＦ１）が同時に押下され、このファンクションキーＦ１のキーコード情報が特殊キー情報としてスタティックＲＡＭ４内に記録保持されているか否かを判別する（ステップＣ２）。
【００２９】
いま、前回の特殊キー情報が記録されている場合には、ステップＣ１に戻り、ＯＦＦ確定時間が経過するまで待機状態となるが、前回の特殊キー情報が記録されていない場合には、今回の電源オフ時において、電源ＯＦＦキーと共にファンクションキーＦ１が同時に押下されたかを判別する（ステップＣ３）。
ここで、電源ＯＦＦキーの単独操作の場合には、ステップＣ１に戻るが、ＯＦＦ確定時間が経過するまでの間においてファンクションキーＦ１が押下された場合には（ステップＣ３）、特殊キー保存処理を行う（ステップＣ４）。すなわち、今回の電源オフ時において、電源ＯＦＦキーと共にファンクションキーＦ１が押下された場合には、このファンクションキーＦ１のキーコード情報を特殊キー情報としてＲＡＭ４内に記録保持する処理を行う。なお、前回の特殊キー情報が記録されている場合には、その記録内容を有効とするために、ファンクションキーＦ１のチェックは行わない。
その後、ＯＦＦ確定時間の経過が検出されると（ステップＣ１）、電源オフ処理が行われる（ステップＣ５）。
【００３０】
図６は、電源ＯＮキーが押下された際に実行開始される電源ＯＮ処理を示したフローチャートである。
先ず、ＣＰＵ１は、ハンディターミナル１が電源オンされた場合には、そのオン要因の判定が行われ（ステップＤ１）、Ｉ／Ｏボックス２への装着以外を要因として電源がオンされた場合には、通常の処理へ移行するが（ステップＤ２）、Ｉ／Ｏボックス２への装着を要因として電源がオンされた場合には（ステップＤ１）、ＲＡＭ４をアクセスし、ファンクションキーＦ１のキーコード情報が特殊キー情報として記録されているかを判別する（ステップＤ３）。
ここで、特殊キー情報の記録が無ければ、通常の処理を行うが（ステップＤ２）、特殊キー情報の記録が有れば、ＲＡＭ４内の特殊キー情報をクリアした後（ステップＤ４）、電源オフ処理を行う（ステップＤ５）。
【００３１】
以上のように、この第３実施形態においては、ハンディターミナル１の電源をオフする際に、特殊キーを合わせて操作しておけば、ハンディターミナル１を充電する目的でＩ／Ｏボックス２に装着した場合にその電源が自動的にオンされたとしても、ハンディターミナル１の電源は直ちにオフされるので、電源オフの状態でハンディターミナル１を確実に充電することができる。
【００３２】
なお、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、電源をオフする際に、特殊操作が合わせて行われた場合には、その操作情報を記録保持する機能と、携帯端末への充電を行ったり、携帯端末内のデータを外部機器に通信するようにした充電機能付き通信装置に携帯端末を装着することによって携帯端末の電源が自動的にオンされたのかを判別する機能と、充電機能付き通信装置への装着によって電源オンされたことが判別された場合に、前記特殊操作情報が記録されていれば、携帯端末の電源を自動的にオフする機能とを実現させるためのプログラムを記録したコンピュータが読み取り可能な記録媒体を提供するようにしてもよい。
【００３３】
（第４実施形態）
以下、この発明の第４実施形態について図７を参照して説明する。
この第４実施形態は、ハンディターミナル１をＩ／Ｏボックス２に装着することによってハンディターミナル１の電源が自動的にオンされた場合に、前回の電源オフがＡＰＯ機能の作動によるものであれば、ハンディターミナル１の電源を自動的にオフするようにしたものである。
ここで、第４実施形態において上述の第１実施形態と名称的に同一のものは、同一符号を付して示し、その説明を省略するものとする。
【００３４】
図７は、電源オン時に実行開始されるハンディターミナル１の電源管理処理を示したフローチャートである。
先ず、ハンディターミナル１が電源オンされた場合には、そのオン要因の判定が行われ（ステップＥ１）、Ｉ／Ｏボックス２への装着以外を要因として電源がオンされた場合には、通常の処理へ移行するが（ステップＥ２）、Ｉ／Ｏボックス２への装着を要因として電源がオンされた場合には（ステップＥ１）、前回の電源オフがＡＰＯ機能の作動によるものかを判別する（ステップＥ３）。ここで、ＡＰＯ機能以外の要因で電源がオフされた場合には、通常の処理へ移行するが（ステップＥ２）、ＡＰＯ機能の作動で電源がオフされた場合には、ハンディターミナル１の電源を自動的にオフする（ステップＥ４）。
【００３５】
以上のように、この第４実施形態においては、ハンディターミナル１の前回の電源オフがＡＰＯ機能の作動によるものであれば、ハンディターミナル１をＩ／Ｏボックス２に装着することによってハンディターミナル１の電源が自動的にオンされたとしても、ハンディターミナル１の電源は直ちにオフされるので、電源オフの状態でハンディターミナル１を確実に充電することができる。
【００３６】
なお、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、携帯端末への充電を行ったり、携帯端末内のデータを外部機器へ通信する充電機能付き通信装置に携帯端末を装着することによって携帯端末の電源が自動的にオンされたのかを判別する機能と、充電機能付き通信装置への装着によって電源オンされたことが判別された場合に、前回の電源オフが前記オートパワーオフ機能の作動によるものかを判別する機能と、前回の電源オフが前記オートパワーオフ機能の作動によることが判別された場合には、携帯端末の電源を自動的にオフする機能とを実現させるためのプログラムを記録したコンピュータが読み取り可能な記録媒体を提供するようにしてもよい。
【００３７】
（第５実施形態）
以下、この発明の第５実施形態について図８を参照して説明する。
この第４実施形態は、ハンディターミナル１をＩ／Ｏボックス２に装着することによってハンディターミナル１の電源が自動的にオンされた場合に、特殊キーを操作したときには、ハンディターミナル１の電源を自動的にオフするようにしたものである
ここで、第５実施形態において上述の第１実施形態と名称的に同一のものは、同一符号を付して示し、その説明を省略するものとする。
【００３８】
図８は、電源オン時に実行開始されるハンディターミナル１の電源管理処理を示したフローチャートである。
先ず、ハンディターミナル１が電源オンされた場合には、そのオン要因の判定が行われ（ステップＦ１）、Ｉ／Ｏボックス２への装着以外を要因として電源がオンされた場合には、通常の処理へ移行するが（ステップＦ２）、Ｉ／Ｏボックス２への装着を要因として電源がオンされた場合には（ステップＦ１）、特殊キーが押下されたかを判別する（ステップＦ３）。ここで、特殊キーが操作されなければ、通常の処理へ移行するが（ステップＦ２）、特殊キーが操作された場合には、ハンディターミナル１の電源を自動的にオフする（ステップＦ４）。
【００３９】
以上のように、この第５実施形態においては、ハンディターミナル１の電源がＩ／Ｏボックス２への装着によってオンされた場合、特殊キーを操作すれば、ハンディターミナル１の電源は直ちにオフされるので、電源オフの状態でハンディターミナル１を確実に充電することができる。
【００４０】
なお、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、携帯端末への充電を行ったり、携帯端末内のデータを外部機器へ通信する充電機能付き通信装置に携帯端末を装着することによって携帯端末の電源が自動的にオンされたのかを判別する機能と、充電機能付き通信装置への装着によって電源オンされたことが判別された場合に、特殊操作が行われたかを判別する機能と、特殊操作が行われたことが判別された場合には、携帯端末の電源を自動的にオフする機能とを実現させるためのプログラムを記録したコンピュータが読み取り可能な記録媒体を提供するようにしてもよい。
【００４１】
【発明の効果】
本発明によれば、携帯端末を充電する目的で充電機能付き通信装置に装着した場合に、携帯端末の電源が自動的にオンされたとしても、所定時間にわたって未使用状態の継続を検出した時に自動的に電源をオフするオートパワーオフ機能を活用することで、携帯端末の電源が自動的にオフされるので、電源オフの状態で携帯端末を確実に充電することが可能となる。
【図面の簡単な説明】
【図１】ハンディターミナル１をＩ／Ｏボックス２に装着した状態を示した図。
【図２】ハンディターミナル１の全体構成を示したブロック図。
【図３】電源オン時に実行開始されるハンディターミナル１の電源管理処理を示したフローチャート。
【図４】第２実施形態において、電源オン時に実行開始されるハンディターミナル１の電源管理処理を示したフローチャート。
【図５】第３実施形態において、電源ＯＦＦキーが押下された際に実行開始される電源ＯＦＦ処理を示したフローチャート。
【図６】第３実施形態において、電源ＯＮキーが押下された際に実行開始される電源ＯＮ処理を示したフローチャート。
【図７】第４実施形態において、電源オン時に実行開始されるハンディターミナル１の電源管理処理を示したフローチャート。
【図８】第３実施形態において、電源オン時に実行開始されるハンディターミナル１の電源管理処理を示したフローチャート。
【符号の説明】
１  ハンディターミナル
２  Ｉ／Ｏボックス
１０１  ＣＰＵ
１０２  記憶装置
１０３  記録媒体
１０５  伝送制御部
１０６  入力部
１０７  表示部
１０８二次電池
１０９  充電制御部
１１０  充電端子
１１１  端子接続検出部
【図１】
0003861616.tif 000002
【図２】
0003861616.tif 000003
【図３】
0003861616.tif 000004
【図４】
0003861616.tif 000005
【図５】
0003861616.tif 000006
【図６】
0003861616.tif 000007
【図７】
0003861616.tif 000008
【図８】
0003861616.tif 000009